(57)【要約】【課題】真空断熱パネルへの空気の侵入を防いで高い断熱性能を維持するとともに、作業性を高めることができるタイル形状に形成した建築用真空断熱タイルを提供する。【解決手段】ガラス繊維４からなる芯材が非透気牲のフィルムよりなる袋３内に真空密閉された矩形で平板状の真空断熱パネルの上面および下面のそれぞれに接着剤により袋３の非透気牲のフィルムを保護する保護プレート６が貼り付けられ、上下の保護プレート６の貼り付けにより側面の周囲に形成された小口にシール材７を充填して溶着シ−ル部５を埋め込むとともに、上下の保護プレート６と一体化して密封したタイル形状に形成し、建築物に接着剤で貼り付けられる真空断熱タイルである。【選択図】図１
2009210111.tif 000002
【特許請求の範囲】
【請求項１】
ガラス繊維からなる芯材が非透気牲のフィルムよりなる袋内に真空密閉された矩形で平板状の真空断熱パネルの上面および下面のそれぞれに接着剤により袋の非透気牲のフィルムを保護する保護プレートが貼り付けられ、上下の保護プレートの貼り付けにより側面の周囲に形成された小口にシール材を充填して溶着シ−ル部を埋め込むとともに、上下の保護プレートと一体化して密封したタイル形状に形成し、建築物に接着剤で貼り付けられる真空断熱タイル。
【請求項２】
建築物の外壁の内面に接着剤で貼り付けられる請求項１記載の真空断熱タイル。
【請求項３】
建築物の屋上床に接着剤で貼り付けられる請求項１記載の真空断熱タイル。
【発明の詳細な説明】
【技術分野】
【０００１】
本発明は、建築物施工に使用する建築用断熱材に関し、特に真空断熱パネルへの空気の侵入を防いで高い断熱性能を維持するとともに、作業性を高めるためにタイル形状に形成した建築用真空断熱タイルに関する。
【背景技術】
【０００２】
建築用断熱材には種々の断熱材が用いられており、特に断熱性能に優れた断熱材として、ガラス繊維などの無機繊維からなる芯材をフィルムからなる袋内に封入し、袋の内部を真空引きし、排気し、排気口を溶着シールして構成した真空断熱パネルが知られている（特許文献１〜３参照）。
【０００３】
図４は従来の真空断熱パネルの一例を示し、（ａ）は断面図、（ｂ）は斜視図である。
【０００４】
真空断熱パネル２の製造法は次のとおりである。樹脂を積層した非透気牲のアルミ箔、あるいは樹脂を積層した非透気牲のフィルムよりなる袋３にガラス繊維の無機繊維４を収納する。次いで、袋の内部を真空引きし、袋３の溶着シール部５を溶着によりシールして密封し、矩形で平板状の真空断熱パネル２を製作する。
【特許文献１】特開２００４−３０８６９１号公報
【特許文献２】特開２００３−１４８６８７号公報
【特許文献３】特開２００６−１２５６３１号公報
【発明の開示】
【発明が解決しようとする課題】
【０００５】
図４に示される従来の真空断熱パネル２の袋３を形成しているフィルムが薄くて弱いため、傷つきやすい。そのため、真空断熱パネル２の運搬や作業などの取り扱い中に傷が付いて微小な孔や亀裂が生じると、空気の侵入によって内部の真空度が下がり、真空状態が破壊され、断熱性能が低下していた。
【０００６】
また、真空断熱パネル２の周囲に形成されている、袋３の溶着シール部５を曲げると、真空断熱パネル２の隅に尖った部分が形成されるため、尖った部分が他の真空断熱パネル２に当たったりすると、傷が付いて孔が開くと、前述のとおり、空気が侵入して断熱性能が低下していた。
【０００７】
また、真空断熱パネル２を並べたりする際に、真空断熱パネル２の回りに出ている、袋３の溶着シール部５を折り曲げたりしなくてはならないので、並べたりする際に取り扱いにくいという欠点があった。
【０００８】
そこで、本発明は、真空断熱パネルへの空気の侵入を防いで高い断熱性能を維持するとともに、作業性を高めることができるタイル形状に形成した建築用真空断熱タイルを提供するものである。
【課題を解決するための手段】
【０００９】
本発明は、ガラス繊維からなる芯材が非透気牲のフィルムよりなる袋内に真空密閉された矩形で平板状の真空断熱パネルの上面および下面のそれぞれに接着剤により袋の非透気牲のフィルムを保護する保護プレートが貼り付けられ、上下の保護プレートの貼り付けにより側面の周囲に形成された小口にシール材を充填して溶着シ−ル部を埋め込むとともに、上下の保護プレートと一体化して密封したタイル形状に形成し、建築物に接着剤で貼り付けられる真空断熱タイルである。
【００１０】
本発明の真空断熱タイルは、建築物の外壁の内面に接着剤材により貼り付けたり、屋上床面に接着剤材により貼り付けたりする。
【発明の効果】
【００１１】
本発明は、真空断熱パネルを中心にパネルの上下面、横四方を保護材で保護密閉し、タイル形状にした真空断熱タイルであるため、真空状態にある真空断熱パネルの袋のフィルムが損傷されるのを保護し、空気の進入を防止することができるので、高い断熱効果を維持することができる。
【００１２】
本発明の真空断熱タイルは、内壁結露面に複数の真空断熱タイルを隙間なく貼り付けることにより、広範囲にわたる種々の壁面についてその内外の熱を遮断することができ、さらに、従来の断熱材と比較して真空の断熱性能が数倍高いため、建築物の内壁等の結露を防止することができ、また、建築物の冷暖房エネルギ−の消費削減に繋がり、地球温暖化防止に貢献できる。
【００１３】
また、本発明の真空断熱タイルは、壁面に接着剤材を塗布した上に、一面に断熱下地として真空断熱タイルを貼り付けその後、真空断熱タイルの上に壁仕上げ材を貼り、また、床断熱工法は屋上床面に真空断熱タイルを貼るので、施工がし易く、施工コストも安くできる。
【００１４】
真空断熱パネルは、大きな真空平面体を製造することは不可能であるが、本発明の真空断熱タイルは、製作器材の範囲以内でできる大きさの真空平面体を施工し易いタイル形状に製造することができるので、断熱面一面に真空断熱タイルを貼ることが可能となり、居住室内の暖房、冷房エネルギ−消費が削減され、真空が持つ高断熱性能を建物に活かすことによって消費エネルギ−の削減、地球温暖化ＣＯ2の低減が図られる。
【発明を実施するための最良の形態】
【００１５】
本発明を図面により説明する。
【実施例１】
【００１６】
図１は本発明の真空断熱タイルの分解斜視図、図２（ａ）は本発明の真空断熱タイルの断面図、（ｂ）は同斜視図である。
【００１７】
本発明では、真空断熱タイル１の芯材に真空断熱パネル２を使用し、真空断熱パネル２の弱点である袋３のフィルムの損傷を保護するため、真空断熱パネル２を保護材で包み込むものである。
【００１８】
芯材となる真空断熱パネル２には、ガラス繊維などの無機繊維４からなる芯材を非透気牲のフィルムよりなる袋３内に封入し、内部を真空排気し、溶着によりシールした矩形の平板状をした真空断熱パネル２を使用する。真空断熱パネル自体は、すでに知られており、本発明においては市販もされている真空断熱パネル（例えば、倉敷紡績株式会社製  商品名：「グラスビ」）を使用する。芯材には、無機繊維４以外に構成樹脂繊維があるが、火災の際に有害ガスが発生するものもあるので、ガラス繊維が好ましい。
【００１９】
真空断熱パネル２の上面および下面のそれぞれに袋３のフィルムを保護する保護プレート６を接着剤で貼り付ける。保護プレート６は、不燃材、難燃材、発泡樹脂材あるいは無機質材からなるプレートを使用する。真空断熱パネル２および保護プレート６の形状はタイル形状にする。
【００２０】
上下の保護プレート６の周囲に形成された横四方の小口を非透気性に優れた樹脂接着剤のシール材７を充填して溶着シ−ル部５を埋め込み、上下の保護プレート６と一体化して密封する。
【００２１】
本発明の真空断熱タイル１は、真空断熱パネル２の両面が接着剤で保護プレート６に被覆されているため、真空断熱パネル２のフィルムが物に直接触れることがない。したがって、フィルムが傷ついて真空断熱タイルの取扱中にフィルムに孔や亀裂が生じるのを防止できる。さらに、真空断熱パネル２の側面が非透気性に優れた樹脂接着剤のシール材７で溶着シ−ル部５を含めて密封されているので、溶着シ−ル部５が長期間にわたる使用によっても、溶着シ−ル部５から空気が進入するのを防止することが可能となる。その結果、真空断熱パネル２への空気の侵入によって内部の真空度が下がって真空状態が破壊されことがないので、高い断熱効果を維持していくことができる。
【実施例２】
【００２２】
図３（ａ）は本発明の真空断熱タイルを建築物の天井床材に断熱材として利用した例を示す図、（ｂ）は建築物の内壁の断熱下地に利用した例を示す図である。
【００２３】
図３（ａ）において、屋上床面８に接着剤を塗布し、その上に、真空断熱タイル１を隙間なく並べて貼り貼り付けていく。
【００２４】
従来の天井断熱施工は天井面・梁面等、断熱面積も多く複雑で、施工費要も嵩み天井足場作業等の危険作業を含んでいる。これに対して、本実施例の真空断熱タイルを使用した屋上断熱は、真空断熱タイルを張っていくだけの平面な床上作業のため、従来の天井断熱施工に比べて、安全作業ができ、作業が楽であり能率的である。また、床タイル貼り施工要領でできるので、従来の天井断熱施工に比べて、難易度の高い天井面断熱が省かれて施工がし易く、施工面積も天井と比較して床のほうが面積も少なく施工面積も削減されて施工コストの削減に繋がり、真空断熱性能を効果的に発揮でき、空調エネルギ−の削減、地球温暖化防止に貢献できる。
【実施例３】
【００２５】
図３（ｂ）において、建築物外壁９の内側の結露防止を必要とする内面１０に接着剤材を塗布した上に、一面に真空断熱タイル１を貼り付け、その後、真空断熱タイル１の上に壁仕上げ材を貼り付けることにより、真空断熱タイルを断熱下地とする。
【００２６】
本発明の真空断熱タイル１は、従来の断熱材と比べ、断熱性能は数倍の性能を保持しているため断熱厚みを削減でき、その厚み分、室内面積・室内空間を広く使えるため、建築コストの削減に繋がり顧客の利益に還元できる。
【図面の簡単な説明】
【００２７】
【図１】本発明の真空断熱タイルの分解斜視図である。
【図２】（ａ）は本発明の真空断熱タイルの断面図、（ｂ）は同斜視図である。
【図３】（ａ）は本発明の真空断熱タイルを建築物の内壁の断熱下地に利用した例、（ｂ）は天井床材に断熱材として利用した例を示すものである。
【図４】従来の真空断熱パネルの一例を示し、（ａ）は断面図、（ｂ）は斜視図である。
【符号の説明】
【００２８】
１：真空断熱タイル
２：真空断熱パネル
３：袋
４：無機繊維
５：溶着シ−ル部
６：保護プレート
７：シール材
８：屋上床面
９：外壁
１０：内面
【図１】
2009210111.tif 000003
【図２】
2009210111.tif 000004
【図３】
2009210111.tif 000005
【図４】
2009210111.tif 000006